(57)【特許請求の範囲】
【請求項１】
交流インピーダンス法により電池の内部インピーダンスの周波数特性を測定し、
前記電池のインピーダンスモデルを用いたインピーダンスの周波数特性を求め、
前記インピーダンスの周波数特性の計算結果が、前記内部インピーダンスの周波数特性の測定結果に一致するように、前記インピーダンスモデルを構成する各素子のパラメータの最適値を決定し、
最適値を決定した前記パラメータのうち、前記電池の正電極表面での電荷の移動しやすさを表す素子のパラメータと、前記電池の負電極表面での電荷の移動しやすさを表す素子のパラメータとを求め、
前記電池の正電極表面での電荷の移動しやすさを表す素子のパラメータと、前記電池の負電極表面での電荷の移動しやすさを表す素子のパラメータとの大小関係を比較することにより、前記電池の特性を測定する
ことを特徴とする電池の測定方法。
【請求項２】
請求項１記載の電池の測定方法において、
前記電池はリチウムイオン電池である
ことを特徴とする電池の測定方法。
【請求項３】
請求項２記載の電池の測定方法において、
前記リチウムイオン電池の前記インピーダンスモデルは、前記リチウムイオン電池の正電極の電気化学インピーダンスを表す第１の等価回路と、前記第１の等価回路に直列に接続され、前記リチウムイオン電池の負電極の電気化学インピーダンスを表す第２の等価回路とを有し、
前記リチウムイオン電池の正電極表面での電荷の移動しやすさを表す素子は、前記第１の等価回路を構成する素子に含まれ、
前記リチウムイオン電池の負電極表面での電荷の移動しやすさを表す素子は、前記第２の等価回路を構成する素子に含まれる
ことを特徴とする電池の測定方法。
【請求項４】
請求項２又は３記載の電池の測定方法において、
前記パラメータの最適値を決定する際に、前記負電極におけるリチウムイオンの拡散に関係する素子のパラメータに与える初期値を、前記正電極におけるリチウムイオンの拡散に関係する素子のパラメータに与える初期値よりも大きい値に設定する
ことを特徴とする電池の測定方法。
【請求項５】
請求項３又は４記載の電池の測定方法において、
前記第１の等価回路は、第１の電荷移動抵抗と、前記第１の電荷移動抵抗に直列に接続され、リチウムイオンの電解液中への拡散に関係するインピーダンス成分を表す第１の拡散のインピーダンスと、前記第１の電荷移動抵抗と第１の拡散のインピーダンスとの直列接続体に並列に接続され、前記正電極界面における容量を表す第１の電気二重層キャパシタンスとを有し、前記正電極表面での電荷の移動しやすさを表す前記素子は、前記第１の電荷移動抵抗であり、
前記第２の等価回路は、第２の電荷移動抵抗と、前記第２の電荷移動抵抗に直列に接続され、リチウムイオンの電解液中への拡散に関係するインピーダンス成分を表す第２の拡散のインピーダンスと、前記第２の電荷移動抵抗と第２の拡散のインピーダンスとの直列接続体に並列に接続され、前記正電極界面における容量を表す第２の電気二重層キャパシタンスとを有し、前記負電極表面での電荷の移動しやすさを表す前記素子は、前記第２の電荷移動抵抗である
ことを特徴とする電池の測定方法。
【請求項６】
請求項３又は４記載の電池の測定方法において、
前記インピーダンスモデルは、前記第１の等価回路及び前記第２の等価回路に対して直列に接続され、前記リチウムイオン電池の構造に起因するインピーダンス成分を表す抵抗とインダクタとの並列接続体と、高周波におけるセル全体の抵抗成分を表す抵抗とが直列に接続された第３の等価回路を更に有する
ことを特徴とする電池の測定方法。
【請求項７】
交流インピーダンス法によりリチウムイオン電池の内部インピーダンスの周波数特性を測定し、
前記リチウムイオン電池のインピーダンスモデルを用いたインピーダンスの周波数特性を求め、
前記インピーダンスの周波数特性の計算結果が、前記内部インピーダンスの周波数特性の測定結果に一致するように、前記インピーダンスモデルを構成する各素子のパラメータの最適値を決定し、
最適値を決定した前記パラメータのうち、前記リチウムイオン電池の正電極表面での電荷の移動しやすさを表す素子のパラメータと、前記リチウムイオン電池の負電極表面での電荷の移動しやすさを表す素子のパラメータとを求める電池の測定方法であって、
前記リチウムイオン電池の前記インピーダンスモデルは、前記リチウムイオン電池の正電極の電気化学インピーダンスを表す第１の等価回路と、前記第１の等価回路に直列に接続され、前記リチウムイオン電池の負電極の電気化学インピーダンスを表す第２の等価回路と、前記第１の等価回路及び前記第２の等価回路に対して直列に接続され、前記リチウムイオン電池の構造に起因するインピーダンス成分を表す抵抗とインダクタとの並列接続体と、高周波におけるセル全体の抵抗成分を表す抵抗とが直列に接続された第３の等価回路とを有し、
前記リチウムイオン電池の正電極表面での電荷の移動しやすさを表す素子は、前記第１の等価回路を構成する素子に含まれ、
前記リチウムイオン電池の負電極表面での電荷の移動しやすさを表す素子は、前記第２の等価回路を構成する素子に含まれる
ことを特徴とする電池の測定方法。
【請求項８】
交流インピーダンス法により電池の内部インピーダンスの周波数特性を測定し、
前記電池のインピーダンスモデルを用いたインピーダンスの周波数特性を求め、
前記インピーダンスの周波数特性の計算結果が、前記内部インピーダンスの周波数特性の測定結果に一致するように、前記インピーダンスモデルを構成する各素子のパラメータの最適値を決定し、
最適値を決定した前記パラメータのうち、前記電池の正電極表面での電荷の移動しやすさを表す素子のパラメータと、前記電池の負電極表面での電荷の移動しやすさを表す素子のパラメータとを求め、
前記電池の正電極表面での電荷の移動しやすさを表す素子のパラメータと、前記電池の負電極表面での電荷の移動しやすさを表す素子のパラメータとの大小関係を比較することにより、前記電池の特性を測定する工程を含む
ことを特徴とする電池の製造方法。
【請求項９】
請求項８記載の電池の製造方法において、
前記電池はリチウムイオン電池である
ことを特徴とする電池の製造方法。
【請求項１０】
交流インピーダンス法によりリチウムイオン電池の内部インピーダンスの周波数特性を測定し、
前記リチウムイオン電池のインピーダンスモデルを用いたインピーダンスの周波数特性を求め、
前記インピーダンスの周波数特性の計算結果が、前記内部インピーダンスの周波数特性の測定結果に一致するように、前記インピーダンスモデルを構成する各素子のパラメータの最適値を決定し、
最適値を決定した前記パラメータのうち、前記リチウムイオン電池の正電極表面での電荷の移動しやすさを表す素子のパラメータと、前記リチウムイオン電池の負電極表面での電荷の移動しやすさを表す素子のパラメータとを求めることにより、前記リチウムイオン電池の特性を測定する工程を含む電池の製造方法であって、
前記リチウムイオン電池の前記インピーダンスモデルは、前記リチウムイオン電池の正電極の電気化学インピーダンスを表す第１の等価回路と、前記第１の等価回路に直列に接続され、前記リチウムイオン電池の負電極の電気化学インピーダンスを表す第２の等価回路と、前記第１の等価回路及び前記第２の等価回路に対して直列に接続され、前記リチウムイオン電池の構造に起因するインピーダンス成分を表す抵抗とインダクタとの並列接続体と、高周波におけるセル全体の抵抗成分を表す抵抗とが直列に接続された第３の等価回路とを有し、
前記リチウムイオン電池の正電極表面での電荷の移動しやすさを表す素子は、前記第１の等価回路を構成する素子に含まれ、
前記リチウムイオン電池の負電極表面での電荷の移動しやすさを表す素子は、前記第２の等価回路を構成する素子に含まれる
ことを特徴とする電池の製造方法。
【発明の詳細な説明】
【技術分野】
【０００１】
本発明は、電池の測定方法及び電池の製造方法に係り、特に、交流インピーダンス法により電池の特性を測定する電池の測定方法、並びにこの測定方法を用いた電池の製造方法に関する。
【背景技術】
【０００２】
リチウムイオン電池は、ニッケル−カドミウム電池やニッケル水素電池等の他の二次電池と比較して、エネルギー密度が高い、メモリー効果がない、サイクル寿命が長い等の優れた特性を有しており、携帯型電子機器の電源として広く使用されている。
【０００３】
一方で、ここ数年、リチウムイオン電池を使用した電池パックが発煙・発火する不具合が発生している。原因は、リチウムイオン電池の内部に金属異物が混入し、電極間でショートを起こしたためとされている。しかしながら、現状では不具合電池から金属異物は発見されておらず、電池の特性そのものが不具合を引き起こしている可能性も考えられている。
【０００４】
電池の特性を測定するための技術としては、例えば特許文献１には、インピーダンススペクトル分析による電池容量測定方法が開示されている。また、例えば特許文献２には、非線形等価回路モデルを用いた電池の特性因子数値化方法が開示されている。
【特許文献１】特許第３１６２３４６号公報
【特許文献２】特許第３１９０３１３号公報
【発明の開示】
【発明が解決しようとする課題】
【０００５】
特許文献１及び特許文献２に記載された方法は、いずれも電池容量を判定するためのものであり、電池の特性や安全性を判定する方法ではなかった。
【０００６】
電池の電気的な特性を知ることは、電池が原因となる不具合を発生させないためにも極めて重要であるものと考えられる。また、簡単な方法で電池の優劣を見分けることができれば、不具合を未然に防ぐことができるものと考えられる。
【０００７】
しかしながら、従来は、リチウムイオン電池の特性や安全性を評価する方法は知られておらず、簡単な方法でリチウムイオン電池の優劣を見分けることが可能な評価方法が待望されていた。
【０００８】
本発明の目的は、電池の特性や安全性を簡単な方法で評価し優劣を見分けることが可能な電池の測定方法、並びに、このような測定を行う工程を含み信頼性の高い電池を製造しうる電池の製造方法を提供することにある。
【課題を解決するための手段】
【０００９】
本発明の一観点によれば、交流インピーダンス法により電池の内部インピーダンスの周波数特性を測定し、前記電池のインピーダンスモデルを用いたインピーダンスの周波数特性を求め、前記インピーダンスの周波数特性の計算結果が、前記内部インピーダンスの周波数特性の測定結果に一致するように、前記インピーダンスモデルを構成する各素子のパラメータの最適値を決定し、最適値を決定した前記パラメータのうち、前記電池の正電極表面での電荷の移動しやすさを表す素子のパラメータと、前記電池の負電極表面での電荷の移動しやすさを表す素子のパラメータとを求め、前記電池の正電極表面での電荷の移動しやすさを表す素子のパラメータと、前記電池の負電極表面での電荷の移動しやすさを表す素子のパラメータとの大小関係を比較することにより、前記電池の特性を測定する電池の測定方法が提供される。
また、本発明の他の観点によれば、交流インピーダンス法によりリチウムイオン電池の内部インピーダンスの周波数特性を測定し、前記リチウムイオン電池のインピーダンスモデルを用いたインピーダンスの周波数特性を求め、前記インピーダンスの周波数特性の計算結果が、前記内部インピーダンスの周波数特性の測定結果に一致するように、前記インピーダンスモデルを構成する各素子のパラメータの最適値を決定し、最適値を決定した前記パラメータのうち、前記リチウムイオン電池の正電極表面での電荷の移動しやすさを表す素子のパラメータと、前記リチウムイオン電池の負電極表面での電荷の移動しやすさを表す素子のパラメータとを求める電池の測定方法であって、前記リチウムイオン電池の前記インピーダンスモデルは、前記リチウムイオン電池の正電極の電気化学インピーダンスを表す第１の等価回路と、前記第１の等価回路に直列に接続され、前記リチウムイオン電池の負電極の電気化学インピーダンスを表す第２の等価回路と、前記第１の等価回路及び前記第２の等価回路に対して直列に接続され、前記リチウムイオン電池の構造に起因するインピーダンス成分を表す抵抗とインダクタとの並列接続体と、高周波におけるセル全体の抵抗成分を表す抵抗とが直列に接続された第３の等価回路とを有し、前記リチウムイオン電池の正電極表面での電荷の移動しやすさを表す素子は、前記第１の等価回路を構成する素子に含まれ、前記リチウムイオン電池の負電極表面での電荷の移動しやすさを表す素子は、前記第２の等価回路を構成する素子に含まれる電池の測定方法が提供される。
【００１０】
また、本発明の更に他の観点によれば、交流インピーダンス法により電池の内部インピーダンスの周波数特性を測定し、前記電池のインピーダンスモデルを用いたインピーダンスの周波数特性を求め、前記インピーダンスの周波数特性の計算結果が、前記内部インピーダンスの周波数特性の測定結果に一致するように、前記インピーダンスモデルを構成する各素子のパラメータの最適値を決定し、最適値を決定した前記パラメータのうち、前記電池の正電極表面での電荷の移動しやすさを表す素子のパラメータと、前記電池の負電極表面での電荷の移動しやすさを表す素子のパラメータとを求め、前記電池の正電極表面での電荷の移動しやすさを表す素子のパラメータと、前記電池の負電極表面での電荷の移動しやすさを表す素子のパラメータとの大小関係を比較することにより、前記電池の特性を測定する工程を含む電池の製造方法が提供される。
また、本発明の更に他の観点によれば、交流インピーダンス法によりリチウムイオン電池の内部インピーダンスの周波数特性を測定し、前記リチウムイオン電池のインピーダンスモデルを用いたインピーダンスの周波数特性を求め、前記インピーダンスの周波数特性の計算結果が、前記内部インピーダンスの周波数特性の測定結果に一致するように、前記インピーダンスモデルを構成する各素子のパラメータの最適値を決定し、最適値を決定した前記パラメータのうち、前記リチウムイオン電池の正電極表面での電荷の移動しやすさを表す素子のパラメータと、前記リチウムイオン電池の負電極表面での電荷の移動しやすさを表す素子のパラメータとを求めることにより、前記リチウムイオン電池の特性を測定する工程を含む電池の製造方法であって、前記リチウムイオン電池の前記インピーダンスモデルは、前記リチウムイオン電池の正電極の電気化学インピーダンスを表す第１の等価回路と、前記第１の等価回路に直列に接続され、前記リチウムイオン電池の負電極の電気化学インピーダンスを表す第２の等価回路と、前記第１の等価回路及び前記第２の等価回路に対して直列に接続され、前記リチウムイオン電池の構造に起因するインピーダンス成分を表す抵抗とインダクタとの並列接続体と、高周波におけるセル全体の抵抗成分を表す抵抗とが直列に接続された第３の等価回路とを有し、前記リチウムイオン電池の正電極表面での電荷の移動しやすさを表す素子は、前記第１の等価回路を構成する素子に含まれ、前記リチウムイオン電池の負電極表面での電荷の移動しやすさを表す素子は、前記第２の等価回路を構成する素子に含まれる電池の製造方法が提供される。
【発明の効果】
【００１１】
本発明によれば、交流インピーダンス法により電池の内部インピーダンスの周波数特性を測定し、内部インピーダンスの周波数特性の測定結果に、電池の正電極の電気化学インピーダンスを表す回路と、電池の負電極の電気化学インピーダンスを表す回路とを有するインピーダンスモデルを用いたインピーダンスの周波数特性の計算結果が一致するように、インピーダンスモデルを構成する各素子のパラメータの最適値を決定するので、電池の内部インピーダンスの測定データをインピーダンスモデルに正確にフィッティングさせることができる。
【００１２】
また、パラメータの最適値を決定する際に、負電極における拡散に関係する素子のパラメータに与える初期値を、正電極における拡散に関係する素子のパラメータに与える初期値よりも大きい値に設定することにより、電池の内部インピーダンスの測定データをインピーダンスモデルに容易にフィッティングさせることができる。
【００１３】
また、正電極表面での電荷の移動しやすさを表す素子のパラメータと、負電極表面での電荷の移動しやすさを表す素子のパラメータとの大小関係を比較することにより、リチウムイオン電池の充電・放電特性、長期信頼性、安全性等の特性を評価することができる。
【発明を実施するための最良の形態】
【００１４】
本発明の一実施形態によるリチウムイオン電池の測定方法について図１乃至図１８を用いて説明する。
【００１５】
図１は本実施形態によるリチウムイオン電池の測定方法に用いた回路を示す概略図、図２は本実施形態によるリチウムイオン電池の測定方法を示すフローチャート、図３及び図６は本実施形態によるリチウムイオン電池の測定方法に用いるリチウムイオン電池の等価回路モデルを示す回路図、図４はリチウムイオン電池の構造を示す概略図、図５は電気化学的な電極モデルを説明するための等価回路及び複素平面図、図７乃至図１２はリチウムイオン電池の内部インピーダンスの測定データと計算データとを複素平面図に表したグラフ、図１３乃至図１８はリチウムイオン電池の正電極の電荷移動抵抗と負電極の電荷移動抵抗とを比較したグラフである。
【００１６】
まず、解析対処のリチウムイオン電池について、交流インピーダンス法により、内部インピーダンスの周波数特性を測定する。交流インピーダンス法とは、測定対象に対し直流電圧に微小な交流電圧を重畳させた電圧を印加し、その交流応答特性から測定対象の電気化学的パラメータ（電気化学インピーダンス）を得る方法である。交流インピーダンス法は、印加する交流電圧が小さいので、測定対象の状態を変化させることなくインピーダンスの周波数特性を測定することができるのが特徴である。
【００１７】
図１は、本実施形態によるリチウムイオン電池の測定方法に使用するリチウムイオン電池の内部インピーダンスの測定回路の一例を示す概略図である。
【００１８】
リチウムイオン電池１０は、測定のための支持具１２に取り付けられている。リチウムイオン電池１０の正極は支持具１２の正極側端子１４に電気的に接続され、リチウムイオン電池１０の負極は支持具１２の負極側端子１６に電気的に接続されている。
【００１９】
正極側端子１４には、２本の測定用ケーブル１８ａ，１８ｂが接続されている。また、負極側端子１６には、２本の測定用ケーブル１８ｃ，１８ｄが接続されている。測定用ケーブル１８ａ，１８ｂ，１８ｃ，１８ｄの他端は、測定器２０に接続されている。測定器２０は、交流インピーダンス法によるインピーダンス測定が可能な電気化学特性測定器であり、例えばソーラトロン（Solartron）社製の電気化学測定システム（ＳＩ １２８０Ｂ）等を用いることができる。
【００２０】
測定用ケーブル１８ａ，１８ｃは、リチウムイオン電池１０に流れる電流を測定するためのケーブルである。また、測定用ケーブル１８ｂ，１８ｄは、リチウムイオン電池１０に測定用電圧を印加するとともにリチウムイオン電池１０の両端の電圧を測定するためのケーブルである。
【００２１】
このような装置構成により、リチウムイオン電池１０の内部インピーダンスを、交流四端子法の原理に基づいて測定することができる。
【００２２】
測定用ケーブル１８ｂ，１８ｄからリチウムイオン電池１０に印加する測定用電圧は、直流電圧成分に交流電圧成分を重畳したものである。直流電圧成分は、測定するリチウムイオン電池１０の電圧程度に設定することが望ましい。また、重畳する交流電圧成分は、リチウムイオン電池１０の特性に影響を与えない程度の電圧、例えば１０ｍＶ程度に設定することが望ましい。
【００２３】
交流インピーダンス法の測定では、交流電圧の周波数を高い周波数から低い周波数へ掃引し、所定の周波数間隔で、各周波数におけるリチウムイオン電池１０の内部インピーダンスを測定する。
【００２４】
測定された内部インピーダンスの周波数特性は、実数軸を抵抗成分、虚数軸をリアクタンス成分（通常は容量性）とする複素平面図（コールコールプロット）に表すことができる。測定周波数を高周波から低周波に変化させていくと、時計回りに半円を描くインピーダンスの軌跡が得られる。この軌跡において、実数軸の切片や半円の頂点でのＲＣ時定数などから、測定対象のインピーダンスを解析することができる。
【００２５】
次に、リチウムイオン電池の内部インピーダンスの周波数特性の測定データを用いて、図２に示す手順により、リチウムイオン電池の解析を行う。図２に示す各ステップは、計算機によって総てのステップを自動的に行ってもよいし、一部のステップをオペレータが手動で行ってもよい。以下、図２の各ステップについて詳細に説明する。
【００２６】
まず、解析するリチウムイオン電池の内部インピーダンスの測定結果を、解析プログラムによって計算機内に読み込む（ステップＳ１１）。
【００２７】
次いで、リチウムイオン電池１０の構造や電気化学的な電極モデルを考慮して、解析するリチウムイオン電池の内部インピーダンスを記述するための等価回路モデル（インピーダンスモデル）を作製する（ステップＳ１２）。
【００２８】
なお、ステップＳ１２は、必ずしも行う必要はない。等価回路モデルは、リチウムイオン電池の種類によって大幅に変更されるものではなく、通常の場合、等価回路モデルは確定しているものと考えられる。本ステップは、計算機に等価回路モデルを入力するためのステップを含むものである。
【００２９】
リチウムイオン電池の内部インピーダンスを記述するための等価回路モデルとしては、例えば図３に示す等価回路を用いることができる。
【００３０】
図３中、回路２２はリチウムイオン電池１０の構造によるインピーダンス成分であり、回路２４，２６は電極における電気化学反応を考慮した電気的モデルに基づくインピーダンス成分である。
【００３１】
リチウムイオン電池１０は、例えば図４に示すように、例えば炭酸エチレンや炭酸ジエチルなどの有機溶媒に四フッ化ホウ酸リチウム（ＬｉＢＦ４）などのリチウム塩を溶解した電解質中に、例えばコバルト酸リチウム（ＬｉＣｏＯ２）等よりなる正電極３０と、例えば炭素（Ｃ）よりなる負電極３４とが、セパレータ３２を介して対向するように配置され、例えばアルミニウム（Ａｌ）よりなる集電体３６が正電極３０に接続され、例えば銅（Ｃｕ）よりなる集電体３８が負電極３４に接続されたものである。電極は、短冊状に加工され、巻かれた状態で容器内に封入される。
【００３２】
回路２２は、抵抗ＲｏとインダクタＬｏとの並列接続体と抵抗Ｒｓとが直列接続されたものである。ここで、抵抗Ｒｓは高周波におけるセル全体（電解液、正電極３０、負電極３４、集電体３６，３８等）の抵抗である。抵抗Ｒｏは、正電極３０及び負電極３４のオーミック抵抗である。インダクタＬｏは、薄い電極を巻いた構造に由来するインダクタンス成分である。すなわち、抵抗Ｒｏ及びインダクタＬｏは電池の構造によるインピーダンス成分であり、抵抗Ｒｓは電解液や電極などによる電池２端子間の直列抵抗成分である。ただし、等価回路モデルの各回路要素は、測定データに合わせ込むために経験的に組み合わされたものであり、それぞれの物理的な意味を明確に切り分けることは困難である。
【００３３】
回路２４，２６は、正電極３０及び負電極３４における電気化学反応を考慮した電気化学インピーダンスのモデル（以下、「電極モデル」という）である。電極モデルについては、例えば、丸善株式会社発行「第５版  実験化学講座２５  触媒化学，電気化学」等に詳述されている。
【００３４】
リチウムイオン電池１０は、正電極３０と負電極３４との２つの電極を有しているため、等価回路モデルには、正電極３０の電極モデルに対応する回路２４と、負電極３４の電極モデルに対応する回路２６とが含まれる。回路２４は、抵抗Ｒｃｔ（＋）とインピーダンスＷ（＋）との直列接続体と、キャパシタＣｄｌ（＋）とが並列接続されたものである。同様に、回路２６は、抵抗Ｒｃｔ（−）とインピーダンスＷ（−）との直列接続体と、キャパシタＣｄｌ（−）とが並列接続されたものである。抵抗Ｒｃｔ（＋）及び抵抗Ｒｃｔ（−）は、電荷移動抵抗と呼ばれる抵抗成分である。インピーダンスＷ（＋）及びインピーダンスＷ（−）は、拡散のインピーダンス（ワールブルグ（Warburg）インピーダンスともいう）と呼ばれるインピーダンス成分である。キャパシタＣｄｌ（＋）及びキャパシタＣｄｌ（−）は、電気二重層容量と呼ばれるキャパシタンス成分である。
【００３５】
電極モデルは、一般的には、図５（ａ）に示すような等価回路によって表される。図中、抵抗Ｒｃｔは電荷移動抵抗、インピーダンスＺＷは拡散のインピーダンス、キャパシタＣは電気二重層容量、抵抗Ｒｓｏｌは電解液の溶液抵抗である。抵抗Ｒｃｔ、インピーダンスＺＷ、キャパシタＣが、回路２４，２６の抵抗Ｒｃｔ（＋）又は抵抗Ｒｃｔ（−）、インピーダンスＷ（＋）又はインピーダンスＷ（−）、キャパシタＣｄｌ（＋）又はキャパシタＣｄｌ（−）に、それぞれ対応している。抵抗Ｒｓｏｌは、回路２２の抵抗Ｒｓの一部の抵抗成分に対応している。
【００３６】
図５（ｂ）は、図５（ａ）の等価回路のインピーダンスの周波数特性を複素平面図（コールコールプロット）に表したものである。交流電圧の角周波数ωを高周波側から低周波側に走査していくと、時計回りに半円を描くインピーダンスの軌跡が得られる。この過程は、電荷移動過程と呼ばれている。更に周波数を下げていくと、実数軸及び虚数軸に対して４５度の方向に増加するインピーダンスの軌跡が得られる。この過程は、物質移動過程と呼ばれている。
【００３７】
コールコールプロットにおいて、原点から半円までの実数軸に沿った距離が抵抗Ｒｓｏｌに相当する。半円の直径が、抵抗Ｒｃｔに相当する。物質移動過程のインピーダンスが、拡散のインピーダンスＺｗに相当する。半円においてリアクタンス値が最大となる角周波数ωをωｍａｘとして、１／（ωｍａｘ×Ｒｃｔ）が、キャパシタＣに相当する。したがって、コールコールプロットを得ることにより、電荷移動抵抗Ｒｃｔ、拡散のインピーダンスＺＷ、電気二重層容量Ｃ、溶液抵抗Ｒｓｏｌを算出することができる。
【００３８】
なお、交流インピーダンス法によりリチウムイオン電池の内部インピーダンスの周波数特性を測定した場合、電池には正電極３０と負電極３４の２つの電極が存在するため、コールコールプロットは２つの半円が重なった軌跡を描くものとなる。
【００３９】
リチウムイオン電池の内部インピーダンスの測定データにインダクタンス成分が現れている場合は、等価回路モデルにインダクタを加える。これは、インダクタンスはキャパシタンスと位相が逆で、リアクタンスの大きさ、インピーダンスの位相に影響するからである。インダクタンスを無視して、キャパシタンスだけで解析しても正しい結果を得ることはできない。なお、内部インピーダンスの測定データにインダクタンス成分が現れているかどうかは、コールコールプロットに正のリアクタンス（虚数部が正の値）を示す領域が存在するかどうかで判断することができる。
【００４０】
次に、リチウムイオン電池の内部インピーダンスの周波数特性の測定データがステップＳ１２で用意した等価回路モデルにより計算したインピーダンスの周波数特性に一致するように、等価回路モデルを構成する各素子のパラメータの最適値を決定する。
【００４１】
各パラメータの最適値の決定は、シミュレータに等価回路モデルと各パラメータの初期値を入力し、計算により求められたコールコールプロット又はボード線図が測定データに一致するように各パラメータを調整しながら繰り返し計算することにより行う。
【００４２】
なお、本願発明者等は、シミュレータとして、ソーラトロン社製の電気化学測定システム（ＳＩ １２８０Ｂ）に付属の交流インピーダンス測定・解析ソフトウェアを用いた。このソフトウェアでは、等価回路モデルと各パラメータの初期値を入力することにより、測定データに対する各パラメータの合わせこみ計算を行うことができる。
【００４３】
具体的には、以下の手順により、等価回路モデルを構成する各素子のパラメータの最適値を決定する。
【００４４】
まず、等価回路モデルの各パラメータの初期値を設定する（ステップＳ１３）。
【００４５】
リチウムイオン電池の内部インピーダンスの測定データから得られるコールコールプロットは、前述のように２つの電極の特性が重なったものであり、更にインダクタンス成分が含まれているため、一般的な半円の解析から正確な抵抗Ｒｃｔの値、キャパシタＣの値、拡散のインピーダンスＺｗの値を得ることは困難である。インピーダンス軌跡から読むことができるパラメータは抵抗Ｒｓだけである。これらパラメータの初期値は、インピーダンス軌跡の大きさを参考にして値を設定する。
【００４６】
同型のリチウムイオン電池について過去に測定したことがあれば、そのときに決定した各パラメータの値を初期値として用いるようにしてもよい。
【００４７】
各パラメータの初期値を設定する際には、初期値として極端に大きい値や小さい値を設定しないことが望ましい。
【００４８】
また、回路２４，２６を構成する素子に同じ初期値を与えると、実質的に電極モデルが１つである等価回路を用いることと変わらなくなり、測定データに対するフィッティングが困難になる。そこで、本実施形態によるリチウムイオン電池の測定方法では、正電極と負電極との区別をつけるため、負電極側の拡散に関係するパラメータの初期値を、正電極側の拡散に関係するパラメータの初期値よりも大きく設定する。
【００４９】
これは、リチウムイオン電池が充電状態にあるとき、リチウムイオンは負電極側に多く集まっていることを根拠とするものである。すなわち、充電状態では、負電極の層間にリチウムイオンが入る領域が少ないため、つまり、リチウムイオンが移動できる領域が少なく、リチウムイオンが容易に移動できなくなるため、負電極側におけるリチウムイオンの拡散係数は小さくなると考えられる。
【００５０】
一般的に、リチウムイオン電池の測定は充電状態で行うことが望ましい。これは、リチウムイオン電池を充電状態で測定すると、測定結果のばらつきを小さく抑えることができるからである。上記仮定は、このような測定の実情を考慮したものである。
【００５１】
拡散に関係するパラメータは、具体的には、拡散のインピーダンスＷ（＋）及び拡散のインピーダンスＷ（−）である。拡散のインピーダンスＷは、一般的に、
Ｗ＝（Ｒｄ×ｔａｎｈ（ｊω（δ２／Ｄ））１／２）／（ｊω（δ２／Ｄ））１／２）
と表されることが知られている。ここで、Ｒｄは拡散抵抗、ωは角周波数、δは拡散距離、Ｄは拡散係数である。本願発明者等が用いた解析プログラムでは、拡散のインピーダンスＷを、
Ｗ＝（Ｒ×ｔａｎｈ（ｊωＴ）Ｐ）／（（ｊωＴ）Ｐ）
と書き換えて、変数Ｐ、変数Ｒ、変数Ｔをパラメータとして計算を行っている。これら変数のうち、拡散に関係するパラメータは、変数Ｔである。
【００５２】
そこで、本実施形態によるリチウムイオン電池の測定方法では、正電極と負電極との区別をつけるために、拡散のインピーダンスＷ（−）の変数Ｔの初期値と拡散のインピーダンスＷ（＋）の変数Ｔの初期値とに差をつける。変数Ｔは、Ｔ＝δ２／Ｄで表される。拡散距離δが正極及び負極において同等の値を取ると考えると、拡散係数Ｄが小さいほどに変数Ｔの値が大きくなる。すなわち、拡散のインピーダンスＷ（−）の変数Ｔの初期値を、拡散のインピーダンスＷ（＋）の変数Ｔの初期値よりも大きい値に設定することにより、実際の測定状況に応じた適切なパラメータの重み付けをすることができる。
【００５３】
各パラメータの初期値は、例えば後述の電池Ｃ（図９を参照）の場合、以下の値を用いることができる。例えば、抵抗Ｒｓとしてはインピーダンス軌跡と実軸の交点との値（＝０．０５５）を、インダクタＬｏとしては任意の値（例えば、１０−６）を、抵抗Ｒｏとしては任意の値（例えば、１）を、抵抗Ｒｃｔとしては２つの半円を一つの半円と見なしてその半円の直径の１／２程度の値（例えば、０．０１５）を、キャパシタＣｄｌとしては任意の値（例えば、１）を、変数Ｒとしては任意の値（例えば、０．０１）を、変数Ｔとしてはリチウムイオンが負極に偏っていると考えて重み付けした値（例えば、正極側を１、負極側を１００）を、変数Ｐとしては任意の値（例えば、０．５）を、それぞれ適用することができる。電極のパラメータについては、イオンの偏り以外の不確定要素をなくすため、変数Ｔ以外、正極側と負極側とで同じ値を設定することが望ましい。変数Ｔの重み付けは、経験的には、１０：１００程度以上の差をつけることにより、比較的値を合わせやすい。
【００５４】
次いで、設定した各パラメータの初期値を用いて、等価回路モデルにおけるインピーダンスの周波数特性を計算する（ステップＳ１４）。
【００５５】
次いで、等価回路モデルから算出したインピーダンスの周波数特性とリチウムイオン電池の内部インピーダンスの測定データとを比較し（ステップＳ１５）、計算データのインピーダンス軌跡が測定データのインピーダンス軌跡とかけ離れていないかどうかを判定する（ステップＳ１６）。判定の結果、測定値と計算値とがかけ離れている場合には、ステップＳ１３に戻り、各パラメータの初期値を設定し直す。測定値と計算値とが同じ程度の大きさになった場合は、パラメータの合わせこみを開始する。
【００５６】
なお、測定値と計算値とがかけ離れている場合とは、例えば、計算により求めたコールコールプロットのインピーダンス軌跡が、測定値のインピーダンス軌跡の表示レンジから大きくはみ出している場合などが該当する。
【００５７】
次いで、設定した初期値のうち、値を固定するパラメータと、値を変化させるパラメータとを選択する（ステップＳ１７）。なお、経験的には、最初のうちは変数Ｐを固定し、他のパラメータを合わせ込んでいくと一致しやすい。
【００５８】
次いで、初期値から値を変更したパラメータを用いて、等価回路モデルにおけるインピーダンスの周波数特性を計算する（ステップＳ１８）。
【００５９】
次いで、等価回路モデルから算出したインピーダンスの周波数特性とリチウムイオン電池の内部インピーダンスの測定データとを比較する（ステップＳ１９）。
【００６０】
測定値と計算値との比較では、計算したインピーダンス値と測定値の軌跡の形が一致しているかどうか（ステップＳ２０）、測定値と計算値との間の誤差が小さいかどうか（ステップＳ２１）、無意味な値を示すパラメータがないかどうか（ステップＳ２２）等を判定する。
【００６１】
ステップＳ２０〜Ｓ２２を自動的に処理する場合には、測定値と計算値について、各測定周波数におけるインピーダンス及び位相がどの程度異なっているかを判断基準とすることができる。例えば、インピーダンスについては、各測定周波数において、実数部及び虚数部ともに、測定値±０．００１Ωの範囲に計算値が入るかどうか、計算値±０．００１Ωの範囲に測定値が入るかどうか、を判断基準とすることができる。また、位相については、測定値±０．５ｄｅｇの範囲に計算値が入るかどうか、計算値±０．５ｄｅｇの範囲に測定値が入るかどうか、を判断基準とすることができる。
【００６２】
また、無意味なパラメータかどうかの判断については、例えば、ＲとＣとの並列回路がインピーダンス軌跡に影響しているかどうかを確認することが考えられる。Ｒ≫Ｚｃの場合（ＺｃはキャパシタＣのインピーダンス）、Ｃだけの特性に近くなる。また、Ｒ≪Ｚｃの場合、Ｒだけの特性に近くなる。組み合わせによっては半円の軌跡を描かない、インピーダンスの大きさと位相がほとんど変わらない場合があるので、このような場合にはＲＣ並列回路は不要と判断することができる。
【００６３】
複数のＲや複数のＣ、単独素子の直列接続は単純な合成が可能であるから、合わせこみにおいては意味を持たない素子となる。
【００６４】
等価回路モデルを設定したときに各素子に意味を持たせるならば無意味なパラメータは無くなるが、単純なモデルで合わせこみを行うときには、インピーダンス軌跡に影響しない素子は不要であると判断することが望ましい。
【００６５】
なお、誤差が大きかったり無意味なパラメータがあったりする場合でも、軌跡の形状が一致して見えることがある。このような場合には、インピーダンスの位相に違いが現れていることが考えられるため、必ずそれぞれの周波数においてインピーダンスの測定値と計算値とが一致しているかを比較することが重要である。表示画面では測定値と計算値とが軌跡上に点で表示することができるので、点の位置が合っているかを見ることにより、測定値と計算値が一致しているかどうかを判断することができる。
【００６６】
測定値と計算値との一致の度合いがよくないと思われる場合には、等価回路モデルを修正する必要があるかどうかを判断する（ステップＳ２３）。等価回路モデルの修正が不要な場合には、ステップＳ１７に戻り、パラメータの値を再設定する。等価回路モデルの修正が必要な場合には、等価回路モデルを修正し（ステップＳ２４）、ステップＳ１２の等価回路モデルの作製からやり直す。
【００６７】
軌跡の形状が同様で、各パラメータの誤差が例えば数％程度であり、明らかにおかしなパラメータが無ければ、特性が一致したと判断する（ステップＳ２５）。
【００６８】
このようにして、解析プログラムを用い、測定値と計算値それぞれから得られるコールコールプロット、ボード線図が一致するように、各パラメータの値を調整しながら計算を繰り返す。この際、値の変化の少ないパラメータは固定してもよい。コールコールプロット、ボード線図の形状が一致するパラメータの組み合わせは一通りではない。複数通り計算し、測定値と計算値との誤差の大きさなどを参考にし、適切と思われる値を決定することが望ましい。各パラメータの合わせこみは、インダクタンス成分が見える周波数領域を含めたすべての測定点を用いて行うことが望ましい。
【００６９】
等価回路モデルの修正方法としては、例えば図６（ａ）に示すように、抵抗Ｒ１とキャパシタＣ１との並列接続体２８（以下、「ＲＣ並列回路２８」と呼ぶ）を更に直列に接続することが考えられる。ＲＣ並列回路２８は、電池の劣化により生じる被膜や電池の安定化のために設けている膜などをモデル化するためのものであり、ＲＣ並列回路２８を追加することによって測定データに対するフィッティングが容易となる。
【００７０】
ＲＣ並列回路２８の接続数は、測定値と計算値との誤差の大きさなどに応じて適宜増加することができる。例えば、図６（ｂ）に示す等価回路モデルは、抵抗Ｒ１とキャパシタＣ１とからなるＲＣ並列回路２８ａ、抵抗Ｒ２とキャパシタＣ２とからなるＲＣ並列回路２８ｂ、及び抵抗Ｒ３とキャパシタＣ３とからなるＲＣ並列回路２８ｃの、３つのＲＣ並列回路２８を直列接続したものである。ただし、ＲＣ並列回路２８を多数接続すると、測定結果と計算結果とは一致しやすくなるが、無意味なパラメータ値の素子が増加するため、接続数はできるだけ少ないことが望ましい。
【００７１】
なお、本願発明者等の経験によれば、新品の電池や使用時間が短い電池ではほとんどの場合、ＲＣ並列回路２８を使用することなく測定値と計算値とがほぼ一致する結果が得られている。
【００７２】
測定値と計算値とが一致する結果が得られた場合、解析するリチウムイオン電池の測定値を等価回路モデルで表すことができたと判断し（ステップＳ２６）、解析対象のリチウムイオン電池の各パラメータを決定する（ステップＳ２７）。
【００７３】
図７〜図１２は、メーカ及び型番の異なる６種類のリチウムイオン電池（図中、それぞれ、「電池Ａ」、「電池Ｂ」、「電池Ｃ」、「電池Ｄ」、「電池Ｅ」、「電池Ｆ」と表す）について、交流インピーダンス法により測定した内部インピーダンスの測定データと、図３の等価回路モデルで合わせこみを行った各パラメータの値を用いた内部インピーダンスの計算データとを、複素平面図（コールコールプロット）に表したものである。表１は、内部インピーダンスの計算に用いた各パラメータの値をまとめたものである。
【００７４】
【表１】
0005088081.tif 000002
【００７５】
図７〜図１２に示すように、いずれの種類のリチウムイオン電池においても、図３の等価回路モデルで合わせこみを行った各パラメータの値を用いた内部インピーダンスの計算データは、交流インピーダンス法により測定した内部インピーダンスの測定データによく一致していることが判る。すなわち、図３に示す等価回路モデルは、リチウムイオン電池の内部インピーダンスを表すうえで極めて有効である。
【００７６】
次に、決定したパラメータのうちリチウムイオン電池の特性を比較するパラメータを抽出し（ステップＳ２８）、リチウムイオン電池の判定を行う。
【００７７】
本実施形態によるリチウムイオン電池の測定方法では、決定したパラメータのうち、電荷移動抵抗Ｒｃｔ（＋）及び電荷移動抵抗Ｒｃｔ（−）に着目する。電荷移動抵抗Ｒｃｔは、電極表面での反応の起こりやすさ、電荷の移動しやすさを表す、速度論的なパラメータである。電荷移動抵抗Ｒｃｔが大きいことは、リチウムイオンを吸蔵・放出しにくいことを意味している。逆に、電荷移動抵抗Ｒｃｔが小さいことは、リチウムイオンを吸蔵・放出しやすいことを意味している。
【００７８】
正電極３０の電荷移動抵抗Ｒｃｔ（＋）と負電極３４の電荷移動抵抗Ｒｃｔ（−）との大小を比較して考えると、正電極３０の電荷移動抵抗Ｒｃｔ（＋）が負電極３４の電荷移動抵抗Ｒｃｔ（−）よりも大きい場合には、１）充電時、正電極３０はリチウムイオンを放出しにくく、負電極３４はリチウムイオンを吸蔵しやすくなり、２）放電時、正電極３０はリチウムイオンを吸蔵しにくく、負電極３４はリチウムイオンを放出しやすくなるものと考えられる。逆に、負電極３４の電荷移動抵抗Ｒｃｔ（−）が正電極３０の電荷移動抵抗Ｒｃｔ（＋）よりも大きい場合には、３）充電時、正電極３０はリチウムイオンを放出しやすく、負電極３４はリチウムイオンを吸蔵しにくくなり、４）放電時、正電極３０はリチウムイオンを吸蔵しやすく、負電極３４はリチウムイオンを放出しにくくなるものと考えられる。
【００７９】
リチウム或いはリチウム化合物が析出し又はデンドライトが発生するなど、電極表面に何らかの被膜が形成されるのは、上記２）又は３）の場合であると考えられる。本願発明者等が劣化したリチウムイオン電池のインピーダンスを解析した結果では、負電極のインピーダンスが大きく変化していたことから、負電極表面に被膜が形成される３）の場合が、リチウムイオン電池の特性に最も大きく影響するものと考えられる。
【００８０】
以上のことから、電荷移動抵抗Ｒｃｔ（＋）及び電荷移動抵抗Ｒｃｔ（−）を解析することにより、リチウムイオン電池の充電及び放電の特性を評価することができる。また、電荷移動抵抗Ｒｃｔ（＋）及び電荷移動抵抗Ｒｃｔ（−）を解析した結果、負電極３４の電荷移動抵抗Ｒｃｔ（−）が正電極３０の電荷移動抵抗Ｒｃｔ（＋）よりも大きいリチウムイオン電池は、上記３）の効果のために負極にリチウム或いはリチウム化合物が析出し、又はデンドライトが発生しやすいものと考えられる。リチウムイオン電池内部に不要な析出物やデンドライトがある場合、使用中に正電極３０と負電極３４とを絶縁するためのセパレータ３２を損傷したり、予期しない大電流が流れたりするきっかけとなり、発煙・発火などの不具合を引き起こす虞がある。
【００８１】
本願発明者等が検討を行ったところでは、正電極３０の電荷移動抵抗Ｒｃｔ（＋）よりも負電極３４の電荷移動抵抗Ｒｃｔ（−）の方が大きいリチウムイオン電池が、必ずしも発煙・発火などの不具合を引き起こすということではなかった。しかしながら、このようなリチウムイオン電池は、上述のように負極にリチウム或いはリチウム化合物が析出し、又はデンドライトが発生しやすい特性を有するものである。正電極３０の電荷移動抵抗Ｒｃｔ（＋）と負電極３４の電荷移動抵抗Ｒｃｔ（−）との大小を比較することは、リチウムイオン電池の長期信頼性や安全性の判定の一つの指標となるものである。
【００８２】
また、電荷移動抵抗Ｒｃｔ（＋）及び電荷移動抵抗Ｒｃｔ（−）の解析結果から、リチウムイオン電池の良否判定を行うことも可能である。例えば、負電極３４の電荷移動抵抗Ｒｃｔ（−）が正電極３０の電荷移動抵抗Ｒｃｔ（＋）よりも小さいリチウムイオン電池を良品と判定するような基準を設けることができる。
【００８３】
図１３〜図１８は、メーカ及び型番の異なる６種類のリチウムイオン電池（図中、それぞれ、「電池Ａ」、「電池Ｂ」、「電池Ｃ」、「電池Ｄ」、「電池Ｅ」、「電池Ｆ」と表す）について、正電極３０の電荷移動抵抗Ｒｃｔ（＋）と負電極３４の電荷移動抵抗Ｒｃｔ（−）とを比較したグラフである。図１３〜図１８の「電池Ａ」、「電池Ｂ」、「電池Ｃ」、「電池Ｄ」、「電池Ｅ」、「電池Ｆ」は、図７〜図１２の「電池Ａ」、「電池Ｂ」、「電池Ｃ」、「電池Ｄ」、「電池Ｅ」、「電池Ｆ」に、それぞれ対応している。
【００８４】
各図（ａ）は、同一種類の複数の未使用電池を測定した結果であり、各図（ｂ）は使用状態の異なる同一種類の複数の電池を測定した結果である。各図（ｂ）において、「ＤＯＤ＝０％」は放電深度（ＤＯＤ）が０％（満充電）の電池を、「ＤＯＤ＝２０％」は放電深度が２０％の電池を、「ＤＯＤ＝４０％」は放電深度が４０％の電池を、「ＤＯＤ＝６０％」は放電深度が６０％の電池を、「ＤＯＤ＝８０％」は放電深度が８０％の電池を、「ＤＯＤ＝１００％」は放電深度が１００％の電池を、「５００ｈ」は充電後に６０℃、５００時間放置した電池を、「５００ｈ−放電」は充電後に６０℃、５００時間放置し、更に充電・放電を行った電池を、「５００回」は充電・放電サイクルを５００回行った後の電池を、「５００回−放電」は充電・放電サイクルを５００回行った後、更に充電・放電を行った電池を、それぞれ意味する。
【００８５】
電池Ａでは、図１３に示すように、未使用状態や満充電状態において、正電極３０の電荷移動抵抗Ｒｃｔ（＋）が負電極３４の電荷移動抵抗Ｒｃｔ（−）よりも大きい結果が得られた。しかしながら、正電極３０の電荷移動抵抗Ｒｃｔ（＋）と負電極３４の電荷移動抵抗Ｒｃｔ（−）との大小関係の違いは小さく、使用状態によっては大小関係が逆転することもあった。
【００８６】
電池Ｂ〜電池Ｄでは、図１４〜図１６に示すように、未使用状態や満充電状態において、負電極３４の電荷移動抵抗Ｒｃｔ（−）が正電極３０の電荷移動抵抗Ｒｃｔ（＋）よりも大きい結果が得られた。しかしながら、正電極３０の電荷移動抵抗Ｒｃｔ（＋）と負電極３４の電荷移動抵抗Ｒｃｔ（−）との大小関係の違いは小さく、使用状態によっては大小関係が逆転することもあった。
【００８７】
以上のことから、電池Ａ〜電池Ｄは、充電量や使用状況により、２つの電極の抵抗値のバランスが常に変化している状況で使用されていると予測できる。
【００８８】
電池Ｅでは、図１７に示すように、電池の充電量や使用状態によらず、常に正電極３０の電荷移動抵抗Ｒｃｔ（＋）が負電極３４の電荷移動抵抗Ｒｃｔ（−）よりも大きい結果が得られた。電池Ａ〜電池Ｄの場合のように正電極３０の電荷移動抵抗Ｒｃｔ（＋）と負電極３４の電荷移動抵抗Ｒｃｔ（−）との大小関係が反転することはなかった。また、充電量や使用状況によらず、直列抵抗、電荷移動抵抗Ｒｃｔ（＋）、電荷移動抵抗Ｒｃｔ（−）の大きさはあまり変化していなかった。電池Ｅは、２つの電極の抵抗値のバランスが変化しない状況で使用されていると予測できる。
【００８９】
電池Ｆでは、図１８に示すように、電池Ｅの場合と同様、電池の充電量や使用状態によらず、常に正電極３０の電荷移動抵抗Ｒｃｔ（＋）が負電極３４の電荷移動抵抗Ｒｃｔ（−）よりも大きい結果が得られた。電池Ｆは、２つの電極の抵抗値のバランスが変化しない状況で使用されていると予測できる。
【００９０】
以上の測定結果から、電池Ａ〜電池Ｆについて電荷移動抵抗の観点から検討すると、電池の負電極の表面でリチウム或いはリチウム化合物が偏析し又はデンドライトが発生する可能性があるものは電池Ａ〜電池Ｄであり、偏析物やデンドライトが発生しにくいものは電池Ｅ及び電池Ｆであると判定することができる。
【００９１】
また、リチウムイオン電池の優劣を判定するために有効な他のパラメータとして、抵抗Ｒｓが挙げられる。抵抗Ｒｓが大きいリチウムイオン電池は、経験的に、劣化が進んでいることが知られている。
【００９２】
したがって、電荷移動抵抗Ｒｃｔによる評価に加えて、抵抗Ｒｓによる評価をも加味することで、リチウムイオン電池の優劣の判定をより正確に行うことが可能となる。
【００９３】
次いで、別のリチウムイオン電池を解析する場合にはステップＳ１１に戻り、解析を行わない場合には終了する（ステップＳ２９）。
【００９４】
同じ型式のリチウムイオン電池は、通常、同じ特性を持つものと考えられるので、ステップＳ２６で決定した各パラメータの値は、同じ型式の別の電池を解析する場合の初期値として用いることができると考えられる。繰り返し上述の操作を行い、このとき、明らかに傾向が違ったパラメータが得られるリチウムイオン電池が存在するならば、そのリチウムイオン電池は不良品であると判断することが可能である。
【００９５】
また、違う型式の電池を解析しパラメータを比較することで、それぞれの電池の特性を知ることもできる。
【００９６】
このように、本実施形態によれば、交流インピーダンス法によりリチウムイオン電池の内部インピーダンスの周波数特性を測定し、内部インピーダンスの周波数特性の測定結果に、リチウムイオン電池の正電極の電気化学インピーダンスを表す回路と、リチウムイオン電池の負電極の電気化学インピーダンスを表す回路とを有するインピーダンスモデルを用いたインピーダンスの周波数特性の計算結果が一致するように、インピーダンスモデルを構成する各素子のパラメータの最適値を決定するので、リチウムイオン電池の内部インピーダンスの測定データをインピーダンスモデルに正確にフィッティングさせることができる。
【００９７】
また、パラメータの最適値を決定する際に、負電極におけるリチウムイオンの拡散に関係する素子のパラメータに与える初期値を、正電極におけるリチウムイオンの拡散に関係する素子のパラメータに与える初期値よりも大きい値に設定することにより、リチウムイオン電池の内部インピーダンスの測定データをインピーダンスモデルに容易にフィッティングさせることができる。
【００９８】
また、正電極表面での電荷の移動しやすさを表す素子のパラメータと、負電極表面での電荷の移動しやすさを表す素子のパラメータとの大小関係を比較することにより、リチウムイオン電池の充電・放電特性、長期信頼性、安全性等の特性を評価することができる。
【００９９】
また、上述の測定方法を、リチウムイオン電池の製造における特性評価工程に適用することにより、信頼性の高いリチウムイオン電池を製造することができる。
【０１００】
［変形実施形態］
本発明は上記実施形態に限らず種々の変形が可能である。
【０１０１】
例えば、上記実施形態では、電極の電気化学インピーダンスを記述する等価回路として、図３の回路２４，２６で示される等価回路を用いたが、電極の電気化学インピーダンスを記述する等価回路はこれに限定されるものではない。
【０１０２】
また、等価回路モデルの全体構成も、図３又は図６に記載の等価回路に限定されるものではない。
【０１０３】
以上詳述したように、本発明の特徴をまとめると以下の通りとなる。
【０１０４】
（付記１）  交流インピーダンス法により電池の内部インピーダンスの周波数特性を測定し、
前記電池のインピーダンスモデルを用いたインピーダンスの周波数特性を求め、
前記インピーダンスの周波数特性の計算結果が、前記内部インピーダンスの周波数特性の測定結果に一致するように、前記インピーダンスモデルを構成する各素子のパラメータの最適値を決定し、
最適値を決定した前記パラメータのうち、前記電池の正電極表面での電荷の移動しやすさを表す素子のパラメータと、前記電池の負電極表面での電荷の移動しやすさを表す素子のパラメータとを求める
ことを特徴とする電池の測定方法。
【０１０５】
（付記２）  付記１記載の電池の測定方法において、
前記電池はリチウムイオン電池である
ことを特徴とする電池の測定方法。
【０１０６】
（付記３）  付記２記載の電池の測定方法において、
前記リチウムイオン電池の前記インピーダンスモデルは、前記リチウムイオン電池の正電極の電気化学インピーダンスを表す第１の等価回路と、前記第１の等価回路に直列に接続され、前記リチウムイオン電池の負電極の電気化学インピーダンスを表す第２の等価回路とを有し、
前記リチウムイオン電池の正電極表面での電荷の移動しやすさを表す素子は、前記第１の等価回路を構成する素子に含まれ、
前記リチウムイオン電池の負電極表面での電荷の移動しやすさを表す素子は、前記第２の等価回路を構成する素子に含まれる
ことを特徴とする電池の測定方法。
【０１０７】
（付記４）  付記２又は３記載の電池の測定方法において、
前記電池の正電極表面での電荷の移動しやすさを表す素子のパラメータと、前記電池の負電極表面での電荷の移動しやすさを表す素子のパラメータとの大小関係を比較することにより、前記電池の特性を測定する
ことを特徴とする電池の測定方法。
【０１０８】
（付記５）  付記２乃至４のいずれか１項に記載の電池の測定方法において、
前記パラメータの最適値を決定する際に、前記負電極におけるリチウムイオンの拡散に関係する素子のパラメータに与える初期値を、前記正電極におけるリチウムイオンの拡散に関係する素子のパラメータに与える初期値よりも大きい値に設定する
ことを特徴とする電池の測定方法。
【０１０９】
（付記６）  付記３乃至５のいずれか１項に記載の電池の測定方法において、
前記第１の等価回路は、第１の電荷移動抵抗と、前記第１の電荷移動抵抗に直列に接続され、リチウムイオンの電解液中への拡散に関係するインピーダンス成分を表す第１の拡散のインピーダンスと、前記第１の電荷移動抵抗と第１の拡散のインピーダンスとの直列接続体に並列に接続され、前記正電極界面における容量を表す第１の電気二重層キャパシタンスとを有し、前記正電極表面での電荷の移動しやすさを表す前記素子は、前記第１の電荷移動抵抗であり、
前記第２の等価回路は、第２の電荷移動抵抗と、前記第２の電荷移動抵抗に直列に接続され、リチウムイオンの電解液中への拡散に関係するインピーダンス成分を表す第２の拡散のインピーダンスと、前記第２の電荷移動抵抗と第２の拡散のインピーダンスとの直列接続体に並列に接続され、前記正電極界面における容量を表す第２の電気二重層キャパシタンスとを有し、前記負電極表面での電荷の移動しやすさを表す前記素子は、前記第２の電荷移動抵抗である
ことを特徴とする電池の測定方法。
【０１１０】
（付記７）  付記３乃至５のいずれか１項に記載の電池の測定方法において、
前記インピーダンスモデルは、直列に接続され、前記リチウムイオン電池の構造に起因するインピーダンス成分を表す抵抗とインダクタとの並列接続体と、高周波におけるセル全体の抵抗成分を表す抵抗とが直列に接続された第３の等価回路を更に有する
ことを特徴とする電池の測定方法。
【０１１１】
（付記８）  付記７記載の電池の測定方法において、
高周波におけるセル全体の抵抗成分を表す前記抵抗の値から、前記リチウムイオン電池の劣化度合いを評価する
ことを特徴とする電池の測定方法。
【０１１２】
（付記９）  付記３乃至８のいずれか１項に記載の電池の測定方法において、
前記インピーダンスモデルは、直列に接続された少なくとも一のＲＣ並列回路を更に有する
ことを特徴とする電池の測定方法。
【０１１３】
（付記１０）  付記４乃至９のいずれか１項に記載の電池の測定方法において、
前記リチウムイオン電池の前記特性は、前記リチウムイオン電池の充電及び放電の特性である
ことを特徴とする電池の測定方法。
【０１１４】
（付記１１）  付記４乃至９のいずれか１項に記載の電池の測定方法において、
前記リチウムイオン電池の前記特性は、前記リチウムイオン電池の長期信頼性及び安全性である
ことを特徴とする電池の測定方法。
【０１１５】
（付記１２）  付記１乃至１１のいずれか１項に記載の電池の測定方法において、
前記正電極表面での電荷の移動しやすさを表す前記素子のパラメータが、前記負電極表面での電荷の移動のしやすさを表す前記素子のパラメータよりも大きい前記リチウムイオン電池を、良品と判定する
ことを特徴とする電池の測定方法。
【０１１６】
（付記１３）  交流インピーダンス法により電池の内部インピーダンスの周波数特性を測定し、
前記電池のインピーダンスモデルを用いたインピーダンスの周波数特性を求め、
前記インピーダンスの周波数特性の計算結果が、前記内部インピーダンスの周波数特性の測定結果に一致するように、前記インピーダンスモデルを構成する各素子のパラメータの最適値を決定し、
最適値を決定した前記パラメータのうち、前記電池の正電極表面での電荷の移動しやすさを表す素子のパラメータと、前記電池の負電極表面での電荷の移動しやすさを表す素子のパラメータとを求めることにより、前記電池の特性を測定する工程を含む
ことを特徴とする電池の製造方法。
【０１１７】
（付記１４）  付記１３記載の電池の製造方法において、
前記電池はリチウムイオン電池である
ことを特徴とする電池の製造方法。
【図面の簡単な説明】
【０１１８】
【図１】本発明の一実施形態によるリチウムイオン電池の測定方法に用いた回路を示す概略図である。
【図２】本発明の一実施形態によるリチウムイオン電池の測定方法を示すフローチャートである。
【図３】本発明の一実施形態によるリチウムイオン電池の測定方法に用いるリチウムイオン電池の等価回路モデルを示す回路図である。
【図４】リチウムイオン電池の構造を示す概略図である。
【図５】電気化学的な電極モデルを説明するための等価回路及び複素平面図である。
【図６】本発明の一実施形態によるリチウムイオン電池の測定方法に用いるリチウムイオン電池の等価回路モデルの他の例を示す回路図である。
【図７】リチウムイオン電池の内部インピーダンスの測定データと計算データとを複素平面図に表したグラフ（その１）である。
【図８】リチウムイオン電池の内部インピーダンスの測定データと計算データとを複素平面図に表したグラフ（その２）である。
【図９】リチウムイオン電池の内部インピーダンスの測定データと計算データとを複素平面図に表したグラフ（その３）である。
【図１０】リチウムイオン電池の内部インピーダンスの測定データと計算データとを複素平面図に表したグラフ（その４）である。
【図１１】リチウムイオン電池の内部インピーダンスの測定データと計算データとを複素平面図に表したグラフ（その５）である。
【図１２】リチウムイオン電池の内部インピーダンスの測定データと計算データとを複素平面図に表したグラフ（その６）である。
【図１３】リチウムイオン電池の正電極の電荷移動抵抗と負電極の電荷移動抵抗とを比較したグラフ（その１）である。
【図１４】リチウムイオン電池の正電極の電荷移動抵抗と負電極の電荷移動抵抗とを比較したグラフ（その２）である。
【図１５】リチウムイオン電池の正電極の電荷移動抵抗と負電極の電荷移動抵抗とを比較したグラフ（その３）である。
【図１６】リチウムイオン電池の正電極の電荷移動抵抗と負電極の電荷移動抵抗とを比較したグラフ（その４）である。
【図１７】リチウムイオン電池の正電極の電荷移動抵抗と負電極の電荷移動抵抗とを比較したグラフ（その５）である。
【図１８】リチウムイオン電池の正電極の電荷移動抵抗と負電極の電荷移動抵抗とを比較したグラフ（その６）である。
【符号の説明】
【０１１９】
１０…リチウムイオン電池
１２…支持具
１４…正極側端子
１６…負極側端子
１８ａ，１８ｂ，１８ｃ，１８ｄ…測定用ケーブル
２０…測定器
２２，２４，２６…回路
２８，２８ａ，２８ｂ，２８ｃ…ＲＣ並列回路
３０…正電極
３２…セパレータ
３４…負電極
３６，３８…集電体
【図１】
0005088081.tif 000003
【図２】
0005088081.tif 000004
【図３】
0005088081.tif 000005
【図４】
0005088081.tif 000006
【図５】
0005088081.tif 000007
【図６】
0005088081.tif 000008
【図７】
0005088081.tif 000009
【図８】
0005088081.tif 000010
【図９】
0005088081.tif 000011
【図１０】
0005088081.tif 000012
【図１１】
0005088081.tif 000013
【図１２】
0005088081.tif 000014
【図１３】
0005088081.tif 000015
【図１４】
0005088081.tif 000016
【図１５】
0005088081.tif 000017
【図１６】
0005088081.tif 000018
【図１７】
0005088081.tif 000019
【図１８】
0005088081.tif 000020